(57)【要約】【課題】ユーザーが簡単な操作で、記録媒体上に混在して記録された不要な番組を見つけ出し消去することができる映像音声記録再生装置を提供する。【解決手段】自動消去制御部が残量検出部から記録番組保存部の記録媒体の残り容量がある一定量以下になったことを知らされると、記録番組情報管理部から録画されたにもかかわらず、一度も再生されていない番組でかつ、録画した日時からある一定期間以上経っている番組の管理情報を入力し、表示部にその管理情報とともに、その番組を消去してもいいかどうかという旨のメッセージを表示させ、ユーザーが操作部から消去許可を指示すると、その番組を消去することにより前記課題を解決する。【選択図】図１
2006107571.tif 000002
【特許請求の範囲】
【請求項１】
映像音声データを記録媒体に記録し保存する記録手段と、前記記録手段に保存されている映像音声に関係する情報からなる管理情報を管理する記録情報管理手段と、前記記録手段における記録媒体の残り容量を検出する残量検出手段と、前記残量検出手段における検出結果に基づき所定期間再生されていない映像音声データを前記記録手段から消去する消去制御手段とを備え、前記消去制御手段は、記録されて以降、所定期間一度も再生されていない映像音声データを消去することを特徴とする映像音声記録再生装置。
【請求項２】
映像音声を記録媒体に記録し保存する記録番組保存部と、
前記記録番組保存部に保存されている映像音声に関係する情報からなる管理情報を管理する記録番組情報管理部と、
前記記録番組保存部より記録媒体の残り容量を検出し残り容量がある一定量以下になると後記自動消去制御部に知らせる残量検出部と、
前記残量検出部より前記記録番組保存部の記録媒体の残り容量がある一定量以下になったことを知らされると、前記記録番組情報管理部から録画されたにもかかわらず一度も再生されていない映像音声でかつ録画した日時からある一定期間以上経っている映像音声の管理情報を入力し、後記表示部にその管理情報とともにその映像音声を消去してもいいかどうかという旨のメッセージを表示させ、後記操作部から、消去禁止という命令がきたら何もせず、消去許可という命令がきたら、後記消去部に対して後記表示部に表示した内容の映像音声を消去するように指令する自動消去制御部と、
前記自動消去制御部からの指令によって、前記記録番組保存部の映像音声と、前記記録番組情報管理部の映像音声の管理情報とを消去する消去部と、
前記自動消去制御部からの指令に基づいて、画面などに表示を行う表示部と、
前記表示部に表示されたメッセージに対して、ユーザーが消去を許可するか、禁止するかを操作する操作部とを有する事を特徴とする映像音声記録再生装置。
【請求項３】
ある一定期間以上経っている映像音声の管理情報を表示部に表示している際、操作部から、ある一定期間の値を１週間単位、もしくは１日単位で変更することができ、変更されるとそれに基づいて自動消去制御部が再度、記録番組情報管理部より映像音声の管理情報を入力しなおして、表示部に再表示しなおすことができる事を特徴とする請求項２記載の映像音声記録再生装置。
【請求項４】
ある一定期間以上経っている映像音性の管理情報を表示部に表示している際、操作部から、その情報の一覧のうちで消去したくない番組を指定して、その一覧からはずすことができる事を特徴とする請求項２記載の映像音声記録再生装置。
【発明の詳細な説明】
【技術分野】
【０００１】
本発明は、ＤＶＤ−ＲＡＭやＨＤＤなどのデジタル記録メディアに対してデジタル映像音声情報を記録／再生するＤＶＤレコーダーなどの映像音声記録装置に関するものである。
【背景技術】
【０００２】
近年、ＤＶＤレコーダーの需要が急増し、その中でも、多くのテレビ番組を録画し貯めることができるＨＤＤ内蔵タイプが脚光をあびている。内蔵されるＨＤＤの容量も年々大容量化し、数百のテレビ番組を貯めることができるようになってきている。
【０００３】
また一方で、タイマー録画予約も、ＥＰＧ（電子番組表）予約機能の導入により、より簡単になってきており、従来、必ず見たい番組のみをタイマー予約録画して、あとで見るという使い方から、必ず見たいというわけではないが、なんとなくおもしろそうなので、とりあえずタイマー録画予約しておいて、見る暇があれば見るが、見る暇がなければ見ないという使い方へと変化して行きつつある。
【０００４】
このようにして、ＨＤＤには、見たい番組、既に見たが消去し忘れている番組、見ても見なくてもどちらでもいい番組が混在して記録されており、いくら大容量のＨＤＤといえども、いつのまにか残量がほとんどなくなっている場合がある。
通常、このような場合は、記録されている番組リストを表示させて、そこから不要な番組を指定して消去していくことになる。
【０００５】
以下に従来の映像音声記録再生装置について説明する。図２は従来の映像音声記録再生装置のブロック図を示すものである。
【０００６】
図２において、２３は映像音声（以降、番組とする）を記録媒体に記録し保存する記録番組保存部である。２４は記録番組保存部２３に保存されている番組に付随する情報である記録された日時と番組タイトルと保存媒体上の位置とからなる管理情報を管理する記録番組情報管理部である。２５は記録番組情報管理部２４の管理情報を表示する表示部である。２１は表示部２５に管理情報を表示させたり、表示されている管理情報から消去したい番組を選択したりする操作をする操作部である。２６は記録番組情報管理部２４より管理情報を入手し、操作部２１で選択された番組が、記録番組保存部２３の記録媒体のどの部分に記録されているかを検索し、検索した情報を消去部２７に送る消去番組検索部である。２７は消去番組検索部２６より送られてきた情報に基づいて、記録番組保存部２３の番組と、記録番組情報管理部２４の番組の管理情報とを消去する消去部である。
【０００７】
以上のように構成された従来の映像音声記録再生装置について、以下その動作について説明する。
【０００８】
記録番組保存部２３の記録媒体には、ＨＤＤを使用しているものが多く、その容量も、２５０Ｇ〜４００Ｇバイトのように大容量化しつつある。
【０００９】
そのため、この記録番組保存部２３には、数百という録画した番組を記録し保存することができ、もしこのＨＤＤの残量が少なくなって、不要な番組を消去したい場合、ユーザーが操作部２１より記録番組情報管理部２４に対して、番組記録時に同時に記録されたその番組の管理情報の一部（記録された日時、番組タイトル）を表示部２５に表示するように指示して表示させ、ユーザーはその表示を見て、操作部２１より、消去したい番組を選択する。
【００１０】
操作部２１にて、選択された番組は、消去番組検索部２６に送られ、消去番組検索部２６は、選択された番組の管理情報を記録番組情報管理部２４より入手し、消去部２７へ送る。
【００１１】
消去部２７は、消去番組検索部２６より受け取った管理情報を基に、記録番組保存部２３に記録されている番組と、記録番組情報管理部２４に記録されている管理情報とを消去する。
【００１２】
選択された番組および管理情報の消去が終了すると、ユーザーはまた、表示部２５に表示されている表示を見て、次に消去したい番組があれば、操作部２１より、その番組を選択するということを繰り返す。
【００１３】
以上のようにして、ユーザーは数百とある記録された番組から、自分の不要な番組を選んで消去させることができる。
【特許文献１】特開平１１−６６６９４号公報
【特許文献２】特開２００３−８５００８号公報
【発明の開示】
【発明が解決しようとする課題】
【００１４】
しかしながら、上述した映像音声記録再生装置では、記録媒体上に記録されている数百という番組から、ユーザーが自分で消去したい番組を探さなければならなく、非常に使い勝手が悪いという課題を有している。
【００１５】
このような課題に対して、従来では、（特開平１１−６６６９４号公報）に示されるように、一度再生された番組の中で録画された日が一番古い番組を自動的に消去という手法や、（特開２００３−８５００８号公報）に示されるように、一度再生された番組の中で最後に再生された日が一番古い番組を自動的に消去するといったような手法をとっているが、通常のユーザーの使い方を考えると、ある番組を再生し、見終わった時点で、不要（＝２度と見ない番組）ならば、その場で消去するというのが一般的な使い方であり、一度再生された番組で残っている番組はユーザーが意図的に保存したいと考えた番組の場合が多く、上記の２つの手法はあまり有効な手段とはならない場合が多いと考えられる。
【００１６】
本発明は、逆に、録画されたにもかかわらず、一定期間（例えば、４週間）以上再生されなかった番組の中にこそ、不要な番組が多く含まれているであろうという点に注目して、ＨＤＤの残量がある一定容量以下（たとえば、１０Ｍバイト以下）になったときに、その番組のリストを表示させて、ユーザーに不要な番組の消去を促すことのできる映像音声記録再生装置を提供することを目的としている。
【課題を解決するための手段】
【００１７】
上記目的を達成するために本発明は、番組を記録媒体に記録し保存する記録番組保存部と、記録番組保存部に保存されている番組に関係する情報である、記録された日時と番組タイトルと保存媒体上の位置と今まで一度でも再生されたことがあるか否かを示す情報からなる管理情報を管理する記録番組情報管理部と、記録番組保存部より記録媒体の残り容量を検出し、残り容量がある一定量以下になると、自動消去制御部に知らせる残量検出部と、残量検出部より記録番組保存部の記録媒体の残り容量がある一定量以下になったことを知らされると、記録番組情報管理部から録画されたにもかかわらず、一度も再生されていない番組でかつ、録画した日時からある一定期間以上経っている番組の情報を入力し、表示部にその管理情報とともに、その番組を消去してもいいかどうかという旨のメッセージを表示させ、操作部から、消去禁止という命令がきたら何もせず、消去許可という命令がきたら、消去部に対して表示部に表示した内容の番組を消去するように指令する自動消去制御部と、自動消去制御部からの指令によって、記録番組保存部の番組と、記録番組情報管理部の番組の管理情報とを消去する消去部と、自動消去制御部からの指令に基づいて表示を行う表示部と、表示部に表示されたメッセージに対して、ユーザーが消去を許可するか、禁止するかを操作する操作部とを備えた構成を有している。
【００１８】
この構成によって、ユーザーは、ＨＤＤの残量がある一定量以上少なくなったとき、簡単に不要な番組を見つけて消去することができるという効果を得ることができる。
【発明の効果】
【００１９】
以上のように本発明は、録画されたにもかかわらず、一定期間以上再生されなかった番組の中にこそ、不要な番組が多く含まれているであろうという点に注目して、ＨＤＤの残量がある一定容量以下になったときに、その番組のリストをテレビ画面などに表示させて、ユーザーに不要な番組の消去を促すことにより、容易に不要な番組を消去することができるといった優れた効果が得られる。
【００２０】
また、再生されなかった期間の値をユーザーが１週間単位もしくは、１日単位で指定することができることにより、容易な操作でより細かく不要な番組を探し出し消去するができるといった優れた効果が得られる。
【００２１】
また、表示部がある一定期間以上経っている番組の情報を表示している際、その情報の一覧のうちで消去したくない番組を指定して、その一覧からはずすことができることにより、容易な操作で更により細かく不要な番組を指定して消去するができるといった優れた効果が得られる。
【発明を実施するための最良の形態】
【００２２】
本発明の請求項１に記載の発明は、映像音声データを記録媒体に記録し保存する記録手段と、前記記録手段に保存されている映像音声に関係する情報からなる管理情報を管理する記録情報管理手段と、前記記録手段における記録媒体の残り容量を検出する残量検出手段と、前記残量検出手段における検出結果に基づき所定期間再生されていない映像音声データを前記記録手段から消去する消去制御手段とを備え、前記消去制御手段は、記録されて以降、所定期間一度も再生されていない映像音声データを消去するものである。
【００２３】
本発明の請求項２に記載の発明は、番組を記録媒体に記録し保存する記録番組保存部と、記録番組保存部に保存されている番組に関係する情報である、記録された日時と番組タイトルと保存媒体上の位置と今まで一度でも再生されたことがあるか否かを示す情報からなる管理情報を管理する記録番組情報管理部と、記録番組保存部より記録媒体の残り容量を検出し、残り容量がある一定量以下になると、自動消去制御部に知らせる残量検出部と、残量検出部より記録番組保存部の記録媒体の残り容量がある一定量以下になったことを知らされると、記録番組情報管理部から録画されたにもかかわらず、一度も再生されていない番組でかつ、録画した日時からある一定期間以上経っている番組の管理情報を入力し、表示部にその管理情報とともに、その番組を消去してもいいかどうかという旨のメッセージを表示させ、操作部から、消去禁止という命令がきたら何もせず、消去許可という命令がきたら、消去部に対して表示部に表示された番組を消去するように指令する自動消去制御部と、自動消去制御部からの指令によって、記録番組保存部の番組と、記録番組情報管理部の管理情報とを消去する消去部と、自動消去制御部からの指令に基づいて、画面などに表示を行う表示部と、表示部に表示されたメッセージに対して、ユーザーが消去を許可するか、禁止するかを操作する操作部とを備えたことを特徴としたものである。
【００２４】
これにより、残量検出部が記録番組保存部の残り容量がある一定量以下になったのを検出すると、そのことを自動消去制御部に知らせ、自動消去制御部は、記録番組情報管理部より、録画されたにもかかわらず、一度も再生されていない番組でかつ、録画した日時からある一定期間以上経っている番組の情報を入力し、表示部に、その管理情報とともに、その番組を消去してもいいかどうかという旨のメッセージを表示させ、操作部から消去してもいいという指令がくると、消去部に対して表示部に表示された内容の番組を消去するように指令し、その番組およびその番組の管理情報を消去することにより、簡単に不要な番組の消去することができるという作用を有する。
【００２５】
本発明の請求項３に記載の発明は、請求項１の映像音声記録装置の表示部が、ある一定期間以上経っている映像音声の管理情報を表示している際、操作部から、ある一定期間の値を１週間単位、もしくは１日単位で変更することができ、変更されるとそれに基づいて自動消去制御部が再度、記録番組情報管理部より映像音声の管理情報を入力しなおして、表示部に再表示しなおすことができる事を特徴としたものである。
【００２６】
これにより、自動消去制御部が、記録番組情報管理部より、録画されたにもかかわらず、一度も再生されていない番組でかつ、録画した日時からある４週間以上経っている番組の管理情報を入力し、表示部にその管理情報とともに、その番組を消去してもいいかどうかという旨のメッセージを表示させているときに、操作部にて、６週間（もしくは、４２日間）などの指令を出すと、自動消去制御部は、記録番組情報管理部より、録画され一度も再生されずに、録画した日時から６週間（あるいは、４２日間）以上経っている番組の管理情報を入力し、表示部にその管理情報とともに、その番組を消去してもいいかどうかという旨のメッセージを表示し、操作部から消去してもいいという指令がくると、消去部に対して表示部に表示された番組を消去するように指令し、その番組およびその番組の管理情報を消去することにより、より細かく簡単に不要な番組の消去することができるという作用を有する。
【００２７】
本発明の請求項４に記載の発明は、請求項１の映像音声記録装置の表示部がある一定期間以上経っている番組の情報を表示している際、その情報の一覧のうちで消去したくない番組を指定して、その一覧からはずすことができる操作部を備えたことを特徴としたものである。
【００２８】
これにより、自動消去制御部は、記録番組情報管理部より、録画されたにもかかわらず、一度も再生されていない番組でかつ、録画した日時からある一定期間以上経っている番組の管理情報を入力し、表示部に、その管理情報とともに、その番組を消去してもいいかどうかという旨のメッセージを表示させたとき、もしその中に消去したくない番組が混在していた場合、その番組を消去対象から外した後、操作部から消去してもいいという指令を送ることができ、不要な番組の消去する際、更により細かい設定ができるという作用を有する。
【００２９】
以下に図を用いて本発明の実施の形態を説明する。
【００３０】
（実施の形態１）
図１は本発明での映像音声記録再生装置の構成を示すブロック図である。図３は、記録番組管理情報部の内容の一例であり、図４は、表示部に表示されるメッセージの一例である。
【００３１】
図１において、１１は番組を記録媒体に記録し保存する記録手段である記録番組保存部で、本実施の形態ではＨＤＤ内蔵ＤＶＤレコーダーを例として説明しているので、記録媒体はＨＤＤと記録型ＤＶＤであるが、記録媒体の種類はこれらに限定されるものではない。
【００３２】
１４は記録番組保存部１１に保存されている番組に関係する情報である記録日時と番組タイトルと保存媒体上の位置と今まで一度でも再生されたか否かを示す情報からなる管理情報を管理する記録情報管理手段である記録番組情報管理部、１２は記録番組保存部１１より記録媒体の残り容量を検出し残り容量がある一定量以下になると自動消去制御部１３に知らせる残量検出手段である残量検出部である。
【００３３】
１３は残量検出部１２より記録番組保存部１１の記録媒体の残り容量がある一定量以下になったことを知らされると、記録番組情報管理部１４から録画されたにもかかわらず一度も再生されていない番組でかつ録画した日時からある一定期間以上経っている番組の管理情報を入力し、表示部１６にその管理情報とともにその番組を消去してもいいかどうかという旨のメッセージを表示させ、操作部１５から、消去禁止という命令がきたら何もせず、消去許可という命令がきたら消去部１７に対して表示部１６に表示された番組を消去するように指令する消去制御手段である自動消去制御部である。
【００３４】
１７は自動消去制御部１３からの指令によって、記録番組保存部１１の番組と、記録番組情報管理部１４のその番組の管理情報とを消去する消去部であり、１６は自動消去制御部１３からの指令に基づいてテレビジョン受像機の画面などに表示を行う表示部であり、１５は表示部１６に表示されたメッセージに対してユーザーが消去を許可するか禁止するかを操作する操作部で、本体操作部やリモコンに相当する。
【００３５】
上記の様に構成された映像音声記録再生装置について、図１を使って以下その動作を説明する。具体的に説明するために、記録管理情報管理部１４の中には、図３に示した内容が保管され、記録番組情報管理部１４が表示部１６に表示させるメッセージの例を図４に示す。
【００３６】
例えば、映像音声録画装置として、ＥＰＧ（電子番組予約）予約機能付きハードディスク内蔵ＤＶＤレコーダー（以下ＤＶＤレコーダーとする）を考えてみると、ユーザーは、ＤＶＤレコーダーに内蔵されているハードディスク（ＨＤＤ）に、見たいテレビ番組を次々と予約録画していく。ＥＰＧ予約機能は、非常に簡単に録画予約ができ、またＨＤＤの録画できる容量も年々増加し大容量化しているため、「絶対見たいというわけではないが、少しは興味があるので、暇があれば見る」というような番組も、とりあえず予約録画しておくようになる。
【００３７】
あまりテレビを見る時間が確保できないユーザーとっては、絶対に見たい番組を優先して再生して視聴し、その後消去するか、他の記録媒体（例えばＤＶＤ−ＲＡＭなど）にダビングして保存するかをする。したがって、結局絶対に見たいとは思わない番組は、ＨＤＤに録画されたまま一度も再生されずにＨＤＤの中に溜まっていき、ユーザーが気づかないうちにＨＤＤにおける残量がだんだんと減っていき、録画予約の実行をするための残量が不足するような状態に近づいていくことになる。
【００３８】
そこで、残量検出部１２は、ＨＤＤ（この場合記録番組保存部１１に相当する）の残り容量がある一定量（本実施の形態では１０Ｍバイトとしたが、この数値に限定されない））以下になると、自動消去制御部１３に、そのことを知らせる。自動消去制御部１３は、残り容量が少なくなったことを知ると、記録番組情報管理部１４から、録画されたにもかかわらず、一度も再生されていない番組でかつ、録画した日時からある一定期間（本実施の形態では例えば４週間に設定。しかしこの数値に限定されない）以上経っている番組の管理情報を検索し入力して、その管理情報とともに、その番組を消去してもいいかどうかという旨のメッセージを表示部１６に表示させる（例えば、図４のような表示）。
【００３９】
ユーザーは、それを見て、ＨＤＤの残り残量が少なくなっていることを知り、図４のように表示されている番組リストにリストアップされている番組が、削除しても構わない不要な番組であれば、操作部１５より消去命令を自動消去制御部１３に送る。自動消去制御部１３は消去命令を受けて、表示部１６に表示させた番組について消去するように、消去部１７に指令し、消去部１７は、記録番組保存部１１に録画されている番組と、記録番組情報管理部１４に記録されている管理情報とを消去する。これにより、ＨＤＤの残り容量を増やし、録画予約が支障なく実行できるようになる。
【００４０】
上記の例では、自動消去制御部１３が、記録番組情報管理部１４から検索し入力する番組を録画されてから４週間以上としているが、４週間以上の番組が見つからないときは３週間以上、３週間以上の番組が見つからないときは２週間以上、２週間以上の番組が見つからないときは１週間以上の番組を表示する。
【００４１】
また、図４のような表示をしている間に、ユーザーが操作部から６週間前という指令を出せば、自動消去制御部１３は、記録番組情報管理部１４から、録画した日時から６週間以上経っている番組を検索し入力して表示部１６に表示させるものとする。
【００４２】
また、図４のような表示をしている間に、ユーザーが操作部から１０日前という指令を出せば、自動消去制御部１３は、記録番組情報管理部１４から、録画した日時から１０日以上経っている番組を検索し入力して表示部１６に表示させるものとする。
【００４３】
更に、図４のような表示をしている間に、ユーザーが操作部から消去したくない番組を選んで表示されている一覧からはずすことができるものとする。
【００４４】
更に、図４のようなリストの中から、削除したい番組のみを選択できるようにしてもよい。
【００４５】
以上のように本実施の形態によれば、録画されたにもかかわらず、一定期間以上再生されなかった番組の中にこそ、不要な番組が多く含まれているであろうという点に注目して、ＨＤＤの残量がある一定容量以下になったときに、その番組のリストをテレビ画面などの表示部１６に表示させて、ユーザーに不要な番組の消去を促すことにより、容易に不要な番組を消去することができるといった優れた効果が得られる。
【００４６】
また、再生されなかった期間の値をユーザーが１週間単位もしくは、１日単位で指定することができることにより、容易な操作でより細かく不要な番組を探し出し消去するができるといった優れた効果が得られる。
【００４７】
また  表示部１６がある一定期間以上経っている番組の情報を表示している際、その情報の一覧のうちで消去したくない番組を指定して、その一覧からはずすことができることにより、容易な操作で更により細かく不要な番組を指定して消去するができるといった優れた効果が得られる。
【００４８】
ここで、前述の特許文献１（特開２００３−８５００８号公報）に記載された発明と本発明との差異について述べる。特許文献１に記載されたものは、
Ａ．録画した日時の一番古い番組を消去する。
【００４９】
Ｂ．ある番組が、一定時間以上（例として１分以上としている）再生されたら、上記の録画した日時を再生した日時に書き換える。
の２点を特徴としたものである。これの示すところは、その番組が今までに一度でも再生されている／いないにかかわらず、一定期間以上、再生されなかった番組を削除するという内容である。
【００５０】
これに対し本発明は、録画されて以降、一度も再生されなかった番組の中で、録画日時として一番古い番組を削除するというものである。そのメリットとしては、例えば、記録コンテンツが音楽のような音声データの場合は、記録（録音）以降使用者が何度も聞くことは十分に考えられるが、映像音声データの記録（録画）の場合、録画して以降一度も再生することがない番組は、視聴されず使用者が任意に削除する可能性が高い。例えば連続ドラマなどは、使用者が一度視聴すると、それ以降はほとんど視聴することはないので、視聴者が視聴した時点で任意に消去してしまうことが多い。逆に、視聴したにもかかわらず消去していないということは、なんらかの理由で保存しておきたいという視聴者の意思が働いていることが多く、上記の特許文献１では、そんな番組まで自動的に消去してしまうという不具合がある。
【産業上の利用可能性】
【００５１】
本発明は、ハードディスク内蔵ＤＶＤレコーダーにおける録画済み番組の管理方法に関するものであるが、使用する機器としてはハードディスク内蔵ＤＶＤレコーダーに限るものではない。録画機能を有するＡＶ機器であれば、ＶＴＲ、ＨＤＤレコーダー、ＤＶＤレコーダー、メモリーカードレコーダー、ゲーム機などに応用が可能である。
【図面の簡単な説明】
【００５２】
【図１】本発明の実施形態における映像音声記録再生装置のブロック図
【図２】従来の映像音声記録再生装置のブロック図
【図３】記録番組管理情報部の内容の一例を示す模式図
【図４】表示部に表示されるメッセージの一例を示す模式図
【符号の説明】
【００５３】
１１    記録番組保存部
１２    残量検出部
１３    自動消去制御部
１４    記録番組情報管理部
１５    操作部
１６    表示部
１７    消去部
２６    消去番組検索部
【図１】
2006107571.tif 000003
【図２】
2006107571.tif 000004
【図３】
2006107571.tif 000005
【図４】
2006107571.tif 000006